(57)【要約】      （修正有）【課題】高低位置調整可能なキャスターを提供する。【解決手段】本高低位置調整可能なキャスターは、輪体１、調整下蓋２、結合棒３、弾性素子４及び調整上蓋５からなる。結合棒下段が調整下蓋を通過後、輪体と結合し、六角形段３３と調整下蓋の六角孔が適合し、結合棒上段外で、弾性素子と調整上蓋を順に設置し、調整上蓋の係制縁５１と調整下蓋の係縁２３が係合する。調整下蓋を回転させる時、六角孔と結合棒の六角形段が適合しているので、結合棒を回転させて、上下に昇降させ、輪体を上下に移動させる。調整下蓋、結合棒、及び、輪体が上下に移動するとき、調整下蓋は、係縁と静止した調整上蓋の係制縁の適合により、スロット範囲内で、調整上蓋外で上下に移動して、結合棒が上下移動するとき、螺紋段の上段が調整上蓋の遮蔽を受けて露出しない状態となる。【選択図】図２
0003160872.tif 000002
【実用新案登録請求の範囲】
【請求項１】
輪体、調整下蓋、結合棒、弾性素子及び調整上蓋からなる高低位置調整可能なキャスターであって、
前記調整下蓋は、中央部上部に挿入孔を有し、前記挿入孔周縁に、複数のスロットを設置し、前記スロット頂部には係縁を設置し、前記調整下蓋の中央部の下部には六角孔を設置し、前記六角孔と前記挿入孔は相通し、
前記結合棒は上段、六角形段、下段を有し、前記上段は螺紋段であり、
前記調整上蓋は、外周下縁に係制縁を設置し、内部には凹溝を設置し、前記凹溝の中央部には通孔を設置し、
前記結合棒が前記調整下蓋を通過後、前記輪体の前記結合溝に挿入され、前記六角形段が調整下蓋の前記六角孔と適合し、前記結合棒の上段外で、前記弾性素子と前記調整上蓋を順に設置し、前記調整上蓋の外周下縁の前記係制縁と前記調整下蓋の前記係縁が係合し、前記弾性素子が、前記調整上蓋の前記凹溝と前記結合棒の前記六角形段の間に位置することを特徴とする高低位置調整可能なキャスター。
【請求項２】
前記調整上蓋は静止し、前記結合棒及び前記輪体は、前記調整下蓋の回転に伴って、上下に昇降するように構成してなることを特徴とする請求項１に記載の高低位置調整可能なキャスター。  
【請求項３】
前記輪体が最低点に位置するとき、前記調整上蓋の前記係制縁は、前記調整下蓋の挿入孔の最上端に位置し、前記調整下蓋の係縁と係合し、前記弾性素子が緩んだ状態で、前記輪体が最高点に移動するとき、前記調整上蓋の前記係制縁は、前記調整下蓋の前記挿入孔の最低端に位置し、前記弾性素子は圧縮状態であるように構成してなることを特徴とする請求項１に記載の高低位置調整可能なキャスター。
【考案の詳細な説明】
【技術分野】
【０００１】
本考案は、高低位置調整可能なキャスターに関するものであり、さらに詳しくは、平坦でない床面に順応し、微調整により、高低位置を調整できるキャスターに関するものである。
【背景技術】
【０００２】
一般に、椅子や棚は固定式の脚が装着され、固定式の椅子は床面の凹凸によって高低位置の調整を行うことができず、床面が水平ではない状況下で、椅子や棚を床面に配置する時、かかる配置条件下において揺れないように安定させるのは極めて難しい。
【０００３】
よって、従来からも高低位置が調整できるキャスターや椅子の脚が提案されており、その調整方式の多く、よく見られるのは、椅子脚かキャスターを回転させて、上昇または下降させ、椅子や棚の四脚が、それぞれ床面の凹凸状態に適合させるので、安定して使用することができる。
【０００４】
しかし、上述の調整構造は、椅子の脚やキャスターの調整後、椅子や棚との間に、調整用の螺棒が露出した状態になり、外観を損なうことがあり、商品価値を低減させるものである。
【０００５】
かかる事情から、前記の如き問題がなく容易な操作で床面の凹凸に適合できるように高低位置を調整できるキャスターの開発が切望されてきた。
【考案の開示】
【考案が解決しようとする課題】
【０００６】
従って、本考案の課題は、椅子及び棚等を凹凸状態を有する床面に設置できるように高低位置の調整可能なキャスターを提供する点にある。
【課題を解決するための手段】
【０００７】
そこで、本考案者は、前記課題を解決するために鋭意検討を重ねた結果、後述する如く、キャスターの輪体に接続する連結部に高低位置の調整可能な上下蓋を設けることにより、前記課題を解決できることに着目し、かかる知見に基いて本考案に想到するに至った。
【０００８】
すなわち、本考案の目的は、高低位置調整可能なキャスターを提供し、キャスターは床面に対応して高低位置の調整ができ、キャスターを装着する椅子や棚を安定して床面に設置できるようにすることにある。
【０００９】
本考案は、高低位置調整可能なキャスターを提供し、調整下蓋を回転させる時、調整下蓋の六角孔と結合棒の六角形段の適合により、結合棒を同一方向に回転させ、上昇、下降動作を行い、輪体が地面の高度に合うように上下にシフトし、使用時の利便性、省力効果を達成することをもう一つの目的とする。
【００１０】
本考案は、高低位置調整可能なキャスターを提供し、上下位置の調整時、調整上蓋が静止し、調整下蓋は、その係縁と調整上蓋の係制縁とスロットの範囲内で係合することにより、調整上蓋外で上下にシフトし、これにより、結合棒が上昇、下降しても、螺紋段の上段は調整上蓋の遮蔽を受けて、露出せず、外観に影響しないようにすることを最後の目的とする。
【００１１】
かくして、本考案によれば、
請求項１において、
輪体、調整下蓋、結合棒、弾性素子及び調整上蓋からなる高低位置調整可能なキャスターであって、
前記調整下蓋は、中央部上部に挿入孔を有し、前記挿入孔周縁に、複数のスロットを設置し、前記スロット頂部には係縁を設置し、前記調整下蓋の中央部の下部には六角孔を設置し、前記六角孔と前記挿入孔は相通し、
前記結合棒は上段、六角形段、下段を有し、前記上段は螺紋段であり、
前記調整上蓋は、外周下縁に係制縁を設置し、内部には凹溝を設置し、前記凹溝の中央部には通孔を設置し、
前記結合棒が前記調整下蓋を通過後、前記輪体の前記結合溝に挿入され、前記六角形段が調整下蓋の前記六角孔と適合し、前記結合棒の上段外で、前記弾性素子と前記調整上蓋を順に設置し、前記調整上蓋の外周下縁の前記係制縁と前記調整下蓋の前記係縁が係合し、前記弾性素子が、前記調整上蓋の前記凹溝と前記結合棒の前記六角形段の間に位置することを特徴とする高低位置調整可能なキャスターが提供される。
【００１２】
請求項２に係る考案によれば、
前記調整上蓋は静止し、前記結合棒及び前記輪体は、前記調整下蓋の回転に伴って、上下に昇降するように構成してなることを特徴とする請求項１に記載の高低位置調整可能なキャスターが提供される。  
【００１３】
請求項３に係る考案によれば、
前記輪体が最低点に位置するとき、前記調整上蓋の前記係制縁は、前記調整下蓋の挿入孔の最上端に位置し、前記調整下蓋の係縁と係合し、前記弾性素子が緩んだ状態で、前記輪体が最高点に移動するとき、前記調整上蓋の前記係制縁は、前記調整下蓋の前記挿入孔の最低端に位置し、前記弾性素子は圧縮状態であるように構成してなることを特徴とする請求項１に記載の高低位置調整可能なキャスターが提供される。
【００１４】
本考案の高低位置調整可能なキャスターは、輪体、調整下蓋、結合棒、弾性素子及び調整上蓋からなる。結合棒下段が調整下蓋を通過後、輪体と結合し、六角形段と調整下蓋の六角孔が適合し、結合棒上段外で、弾性素子と調整上蓋を順に設置し、調整上蓋の係制縁と調整下蓋の係縁が係合する。調整下蓋を回転させる時、六角孔と結合棒の六角形段が適合しているので、結合棒を回転させて、上下に昇降させ、輪体を上下に移動させる。調整下蓋、結合棒及び輪体が上下に移動するとき、調整下蓋は、係縁と静止した調整上蓋の係制縁の適合により、スロット範囲内で、調整上蓋外で上下に移動して、結合棒が上下移動するとき、螺紋段の上段が調整上蓋の遮蔽を受けて露出しない状態となる。
【考案の効果】
【００１５】
本考案は、一般の固定式の椅子が床面の凹凸によって高低位置調整を行うことができない欠点を改善し、また、調整用の螺棒が露出した状態になり、外観に影響することを改善することができる。
【図面の簡単な説明】
【００１６】
【図１】本考案の一実施形態によるキャスターの斜視図である。
【図２】本考案の一実施形態によるキャスターの分解斜視図である。
【図３】本考案の図１で示すキャスターのA-Aの断面図である。
【図４】本考案の図１で示すキャスターのB-Bの断面図である。
【図５】本考案の一実施形態によるキャスターの作動状態を示す図１のA-A断面図である。
【図６】本考案の一実施形態によるキャスターと椅子の脚の結合状態（１）を示す斜視図である。
【図７】本考案の一実施形態によるキャスターと椅子の脚の結合状態（２）を示す斜視図である。
【考案を実施するための形態】
【００１７】
次に、本考案に係る高度調整可能なキャスターについて、図面に基いて具体的に説明する。
【００１８】
本考案の高低位置調整可能なキャスターは、図１〜図４で示されるように、輪体１、調整下蓋２、結合棒３、弾性素子４及び調整上蓋５からなる。
輪体１は結合溝１０を有する。
【００１９】
調整下蓋２は、中央部上部に挿入孔２１を有し、挿入孔２１周縁の適当な箇所に、複数のスロット２２を均等に設置してある。スロット２２頂部には係縁２３を設置する。調整下蓋２の挿入孔２１の中央部には六角孔２４を設置し、六角孔２４と挿入孔２１は相通する。
【００２０】
結合棒３は上段３２、六角形段３３、下段３１を有し、下段３１は輪体１と結合する。上段３２は螺紋段で、六角形段３３は、上段３２と下段３１間に設置される。
【００２１】
調整上蓋５は、外周下縁に係制縁５１を設置し、中央部は、弾性素子４を収容する凹溝５２を設置する。凹溝５２の中央部には通孔５３を設置する。
【００２２】
結合棒３の下段３１が調整下蓋２の挿入孔２１と六角孔２４を通過後、輪体１の結合溝１０に挿入して、結合棒３と輪体１が結合する。結合棒３の六角形段３３と調整下蓋２の六角孔２４が適合し、結合棒３の上段３２の外側に、弾性素子４と調整上蓋５を順に設置し、調整上蓋５の外周下縁の係制縁５１と調整下蓋２の係縁２３が係合する。この時、弾性素子４は、調整上蓋５の凹溝５２と結合棒３の六角形段３３の間に位置する。
【００２３】
本考案に係るキャスターを使用する場合、図３〜図７で示されるように、輪体１が最低点に位置するとき（図３と図６で示される）、調整下蓋２は輪体１とともに最低点に位置する。静止した調整上蓋５の係制縁５１は、調整下蓋２が底まで移動するので、調整下蓋２の挿入孔２１の最上端に位置し、調整下蓋２の係縁２３と係合する。この時、弾性素子４が緩んだ状態である。輪体１を上昇させて床面の高さに合わせたいとき、反時計回りで調整下蓋２を回転させ、調整下蓋２の六角孔２４と結合棒３の六角形段３３を結合させて、結合棒３を調整下蓋２と相同の方向で回転させて、上昇動作を実行し、輪体１を上に移動させる。      
【００２４】
調整下蓋２、結合棒３及び輪体１が最高点に移動するとき（図５と図７で示される）、静止した調整上蓋５の係制縁５１は、調整下蓋２が底まで移動するので、調整下蓋２の挿入孔２１の最低端に位置する。この時、弾性素子４は圧縮状態である。また、輪体１を再度下降させたいとき、時計回りで調整下蓋２を回転させて、結合棒３を相同方向で回転させて、輪体１を下降させる。
【００２５】
本考案では好ましい実施例を前述の通り開示したが、これらは決して本考案を限定するものではない。
【符号の説明】
【００２６】
１    輪体
１０  結合溝
２    調整下蓋
２１  挿入孔
２２  スロット
２３  係縁
２４  六角孔
３    結合棒
３１  下段
３２  上段
３３  六角形段
４    弾性素子
５    調整上蓋
５１  係制縁
５２  凹溝
５３  通孔
【図１】
0003160872.tif 000003
【図２】
0003160872.tif 000004
【図３】
0003160872.tif 000005
【図４】
0003160872.tif 000006
【図５】
0003160872.tif 000007
【図６】
0003160872.tif 000008
【図７】
0003160872.tif 000009
【手続補正書】
【提出日】平成22年5月12日(2010.5.12)
【手続補正１】
【補正対象書類名】実用新案登録請求の範囲
【補正対象項目名】全文
【補正方法】変更
【補正の内容】
【実用新案登録請求の範囲】
【請求項１】
輪体、調整下蓋、結合棒、弾性素子及び調整上蓋からなる高低位置調整可能なキャスターであって、
前記調整下蓋は、中央部上部に挿入孔を有し、前記挿入孔周縁に、複数のスロットを設置し、前記スロット頂部には係縁を設置し、前記調整下蓋の中央部の下部には六角孔を設置し、前記六角孔と前記挿入孔は相通し、
前記結合棒は上段、六角形段、下段を有し、前記上段は螺紋段であり、
前記調整上蓋は、外周下縁に係制縁を設置し、内部には凹溝を設置し、前記凹溝の中央部には通孔を設置し、
前記結合棒が前記調整下蓋を通過後、前記輪体の結合溝に挿入され、前記六角形段が調整下蓋の前記六角孔と適合し、前記結合棒の上段外で、前記弾性素子と前記調整上蓋を順に設置し、前記調整上蓋の外周下縁の前記係制縁と前記調整下蓋の前記係縁が係合し、前記弾性素子が、前記調整上蓋の前記凹溝と前記結合棒の前記六角形段の間に位置することを特徴とする高低位置調整可能なキャスター。
【請求項２】
前記調整上蓋は静止し、前記結合棒及び前記輪体は、前記調整下蓋の回転に伴って、上下に昇降するように構成してなることを特徴とする請求項１に記載の高低位置調整可能なキャスター。  
【請求項３】
前記輪体が最低点に位置するとき、前記調整上蓋の前記係制縁は、前記調整下蓋の挿入孔の最上端に位置し、前記調整下蓋の係縁と係合し、前記弾性素子が緩んだ状態で、前記輪体が最高点に移動するとき、前記調整上蓋の前記係制縁は、前記調整下蓋の前記挿入孔の最低端に位置し、前記弾性素子は圧縮状態であるように構成してなることを特徴とする請求項１に記載の高低位置調整可能なキャスター。